(57)【要約】本発明は、ディスプレイと基底との2つの部分を備え、前記のディスプレイが基底から離れて独立に使用できるパソコンの無線人間・機械会話装置であって、前記のディスプレイの後部には、少なくとも中央処理装置（CPU）と、液晶ディスプレイ（LCD）表示出力モジュールと、メインボードに電圧変換を提供して充電電池を充電する電源回路を含むメインボードと、バックライトと、タッチパネル制御ボードと、すべての入出力装置インタフェースを含む周辺装置インタフェースボードと、充電電池とを取り付け、前記の基底には、LCD制御ボードと、商用電源を直流電源に変換してこのLCD制御ボードに電力を供給する電源アダプタとを取り付け、基底とディスプレイとを、ゴールドフィンガーや多ピン多孔のコネクタを介して電気接続する。本発明はパソコンの普通な液晶ディスプレイに用いられてもよい。本発明の無線人間・機械会話装置や液晶ディスプレイは、機能完備を保証すると共に、外観構造ではより薄く、軽く、より綺麗となり、良い視覚と使用効果を有する。
2006501580.tif 000002
【特許請求の範囲】
【請求項１】
ディスプレイと基底との2つの部分を備え、前記のディスプレイが基底から離れて独立に使用できるパソコンの無線人間・機械会話装置であって、
前記のディスプレイの後部には、少なくとも中央処理装置（CPU）と、液晶ディスプレイ（LCD）表示出力モジュールと、メインボードに電圧変換を提供して充電電池を充電する電源回路を含むメインボードと、バックライトと、タッチパネル制御ボードと、すべての入出力装置インタフェースを含む周辺装置インタフェースボードと、充電電池とを取り付け、
前記の基底には、LCD制御ボードと、商用電源を直流電源に変換してこのLCD制御ボードに電力を供給する電源アダプタとを取り付け、
基底とディスプレイとを、ゴールドフィンガーや多ピン多孔のコネクタを介して電気接続することを特徴とするパソコンの無線人間・機械会話装置。
【請求項２】
前記のディスプレイのメインボードには、メモリと、双方向無線通信モジュールと、データ受信・伸張モジュールと、音声出力モジュールと、バス拡張ポートと、本体周辺装置インタフェース回路モジュールとを更に取り付けていることを特徴とする請求項１に記載のパソコンの無線人間・機械会話装置。
【請求項３】
前記の周辺装置インタフェースボードには、表示パネルの制御ボタンと、指示ランプ回路ボードとを更に取り付けていることを特徴とする請求項１に記載のパソコンの無線人間・機械会話装置。
【請求項４】
前記のディスプレイの厚さは、25mmを超えないことを特徴とする請求項１に記載のパソコンの無線人間・機械会話装置。
【請求項５】
前記のディスプレイのメインボードとパソコンの本体との間には、直接に無線データ通信接続チャネルを構成し、
メインボード上の回路は、ディスプレイと基底との間のゴールドフィンガーや多ピン多孔のコネクタを介して、基底内のLCD制御ボード上の回路と、情報交流チャネルを構成していることを特徴とする請求項１に記載のパソコンの無線人間・機械会話装置。
【請求項６】
前記のディスプレイ後部に取り付けられた充電電池は、３直列１並列になることを特徴とする請求項１に記載のパソコンの無線人間・機械会話装置。
【請求項７】
ディスプレイと基底との2つの部分を備えるパソコンの液晶ディスプレイであって、
前記のディスプレイ本体の後部には、バックライトと、表示パネルの制御ボタンと、指示ランプ回路ボードとを取り付け、
前記の基底には、LCD制御ボードと電源ボードとを取り付け、
基底とディスプレイ本体とを、ゴールドフィンガーや多ピン多孔のコネクタを介して電気接続することを特徴とするパソコンの液晶ディスプレイ。
【請求項８】
前記のディスプレイ本体の厚さは25mmを超えないことを特徴とする請求項７に記載のパソコンの液晶ディスプレイ。
【発明の詳細な説明】
【技術分野】
【０００１】
本発明はパソコンの無線人間・機械会話装置に関し、正確的に、外観構造がより薄くて軽くなるパソコンの無線人間・機械会話装置に関し、コンピュータ技術分野に属する。
【背景技術】
【０００２】
現在、パソコンは主に卓上コンピュータ、ノートコンピュータ及び手上型コンピュータに分け、手上型コンピュータはパーソナルデジタルアシスタント（PDA）とも呼ばれる。その中、卓上コンピュータは機能が強大であり、価格が安く、パソコンの主流タイプに属する。ノートコンピュータは移動仕事に便利とするが、価格が卓上コンピュータより高くなる。一方、手上型コンピュータは小型で円滑であり、パーソナル資料格納、スケジュール組み、リアルタイム情報伝送などに用いられる。これら３種類のパソコンはそれぞれ自分の特色があるが、それぞれの人をすっかり満足させない不備もある。例えば、卓上コンピュータの本体とディスプレイは、その体積が比較的に大きく、位置が固定し、１つのより大きい机の空間を必要となる。また、本体、ディスプレイ、キーボード、マウス及びスピーカの間の接続線は比較的に多く、整った美しさに達成できない。更に、卓上コンピュータは、ユーザにきちんと座り、わき目もふらないことを要求するので、働き時間が少し長くなれば、背腰が痛むことになる。なお、卓上コンピュータは家庭ユーザが円滑、便利、悠々自適を追求する使用方式に適用しておらず、理想的な家庭用コンピュータは無線・可搬・マルチメディアの情報家庭電気機器であるべき。ノートコンピュータと手上型コンピュータは、可搬携帯の優勢があり、ユーザはこれを持ってソファやベッド上などの快適な環境で働いて、みずから楽しめる。しかし、体積の制約から、ノートコンピュータと手上型コンピュータの機能は、卓上コンピュータより強大になっておらず、コスト・パーフォーマンス比が卓上コンピュータより良くない。特に、手上型コンピュータの表示パネルは比較的に小さくて、アプリケーションソフトウェアが比較的に少なくて、機能も比較的に単一となる。
【０００３】
このような技術背景では、近年無線人間・機械会話装置に基づくパソコンシステムが出現した。図１に示すように、このシステムは、ノートコンピュータと手上型コンピュータの無線移動の優勢を吸収し、また卓上コンピュータの潜在能力を発掘し、その適用分野を拡大して、３種類のコンピュータタイプが融和交流することを促して形成されている新型のコンピュータであり、ユーザにより好ましい使用体験及びより高いコスト・パーフォーマンス比を提供することができる。図１に示すように、無線人間・機械会話装置に基づくパソコンシステムは、少なくともコンピュータ本体１と、本体周辺装置２と、ディスプレイ３とからなるパソコン及び別途に設置される無線人間・機械会話装置４を備え、その内、無線人間・機械会話装置４と前記のコンピュータ本体１とには、それぞれ双方向無線データ通信送受信装置を取り付け、両者は無線通信でデータを伝送する。ここで、本体周辺装置２は一般に、キーボードと、マウスと、スピーカとなどの入出力装置を備え、ディスプレイ３はCRTディスプレイや液晶ディスプレイ（LCD）であってもよい。
【０００４】
図１の無線人間・機械会話装置４は、ディスプレイ４１と基底４２との両部分で構成されている新型のコンピュータ周辺装置であり、その特徴は、前記のパソコンシステムに用いられ、同時に並行動作する第２のディスプレイとする一方、その基底４２には周辺装置電源インタフェースが設けられており、ディスプレイ４１が充電飽和した後、その基底４２から脱離して使用できるように、ディスプレイと基底との間のゴールドフィンガーや多ピン多孔のコネクタを介して、この基底４２に載置された無線人間・機械会話装置のディスプレイ４１内の充電電池を充電して、無線・可搬のマルチメディアアプリケーションを支持する情報家庭電気機器、つまり無線人間・機械会話装置になる。しかし、この装置は無線人間・機械会話機能を増加したので、多くの関する制御回路を増やす。例えば、この無線人間・機械会話装置４におけるディスプレイ４１は、通常の液晶ディスプレイの上に多くの新しい機能回路を増やすことで構成されている。これらの機能回路は、主に中央処理装置（CPU）、メモリ、双方向無線通信モジュール及びデータ受信伸張モジュールを備え、更に、その制御メインボードには、ディスプレイに元から搭載されている表示出力モジュールと、音声出力モジュールと、バス拡張ポートと、本体周辺装置インタフェースとなどの回路モジュールが取り付けられている。また、図２に示すように、さらに無線人間・機械会話装置に電力を供給するための電源ボードと、LCD制御ボードと、バックライトと、タッチパネルの制御ボード、VGAデュアル出力制御ボード及び全周辺装置インタフェースボード、例えばタッチパネルの制御ボタン、指示ランプLED、USB、AUDIO、MICなどのインタフェース回路ボードとを有し、これらすべての回路ボードと電池をこのディスプレイの後部の有限な空間に集中的に取り付ける必要となり、ディスプレイ内部の回路ボード数を増加し、しかもそれを通常の液晶ディスプレイの厚さより多く、増加させ、体積を拡大し、重量も顕著に重くなり、移動の応用方面において理想的なものではない。且つ、空間が狭くて混雑しており、実装が複雑になるので、各回路同士には、互いに干渉し、放熱が悪くなるなどの問題が存在する。
【０００５】
パソコンの無線人間・機械会話装置は一般に１つのLCDディスプレイとこのディスプレイを搭載する基底という両部分で構成されていることが知られている。このLCDディスプレイを基底に挿し置く時、全体としてコンピュータ本体のディスプレイになる一方、LCDディスプレイを基底から引き出した後、このディスプレイはコンピュータ本体の無線人間・機械会話装置となる。この時、このディスプレイに表示している内容はやはりコンピュータ本体の表示ボード上の内容であるが、表示信号自身は、この無線人間・機械会話装置におけるメインボード上の表示チップにより、無線インタフェースボードを介して本体から受信することで生成され、表示内容に対する処理がメインボード上のソフトウェアにより行われる。通常、基底と無線人間・機械会話装置とが接続する信号グループには、１つの誘導信号が設けられており、この誘導信号は無線人間・機械会話装置におけるディスプレイが基底に実装するか否かを示すものであり、無線人間・機械会話装置におけるメインボード上の切替回路は、この誘導信号のレベルに基づいて動作する。
【０００６】
図３（A）に示すように、ディスプレイを基底に挿し置いた時、つまり誘導信号がLレベルである時、この切替回路にはコンピュータ本体の表示ボードが生成されたビデオ画像アダプタVGA信号を受信して入力し、切替回路を介してLCD制御ボードに出力し、また、D / A変換した後TTL信号に変換し、LCD表示パネルに送信して画像を表示する。この時、装置全体はコンピュータ本体の通常の液晶ディスプレイになる。図３（B）に示すように、ディスプレイが基底から引き出された後、この時の誘導信号がHレベルになり、切替回路はVGA信号を出力するように、無線人間・機械会話装置におけるメインボードの表示チップを制御し、直接にVGAデュアル出力制御ボードに送り、さらにこの回路ボードを介してそのVGA信号を二つの経路に分け、１つの経路は無線人間・機械会話装置の９ピンD-SUB VGAインタフェースに送られて、プロジェクタや他の装置のために用いられ、他の１つの経路はLCD制御ボードに送られて、それによりD / A変換されてTTL信号に形成され、LCD表示パネルに送信して画像を表示する。この時のディスプレイ部分は無線人間・機械会話装置になる。前記の従来技術では、VGA信号はデュアル出力制御ボードを通過する時に、周波数分割、増幅処理を行う必要があり、雑音妨害を受けやすく、信号減衰が顕著になる。基底から引き出した後、無線人間・機械会話装置はVGAインタフェースを介して外部からプロジェクタやCRTディスプレイと接続する時に、画像解像度にも影響し、表示品質は人をすっかり満足させない。しかしながら、最大の問題は、メインボードの切替回路は出力としてどの経路の信号を選択して入力しても、LCD制御ボードを介さなければ画像が表示できないので、このLCD制御ボードを無線人間・機械会話装置内部、つまりディスプレイ内部に搭載しなければならない。このように、この無線人間・機械会話装置全体の厚さと重量とがともに影響を受け、ユーザ体験は非常に理想的ではない。
【０００７】
現在、電子製品は機能の完備と外観の小型化を追求しており、主にモービル機器として使用する無線人間・機械会話装置のディスプレイは、機能完備と構造小型・薄型の結合において、ユーザの要望を当面はまだ十分に満足できていない。したがって、従来のパソコンシステムの無線人間・機械会話装置はよく市場需要に迎合できないので、さらに改善することを期待している。
【発明の開示】
【発明が解決しようとする課題】
【０００８】
前記の説明から明らかなように、本発明の目的は、従来装置においてほぼすべての回路ボードと電池とをディスプレイ裏部空間に取り付けたことによるかたちの鈍重、持ちの不便利・不快適及び混在の実装空間による回路同士の干渉、放熱劣化などの各々欠陥を解決するために用いられ、この装置の完備な機能を保証すると共に、それを、外観構造をより薄型化、より小型化、より美観化になり、ユーザ需要に適応でき、市場競争力が強いパソコンの無線人間・機械会話装置を提供することである。
【０００９】
また、本発明の他の目的は、普通の液晶ディスプレイの厚さがより薄く、重さがより軽くなることにさせ、好ましい視覚と使用効果を有し、ファッションに迎合し、市場需要に適応できるパソコンの液晶ディスプレイを提供することである。
【課題を解決するための手段】
【００１０】
本発明の目的を実現するために、本発明は、ディスプレイと基底との2つの部分を備え、前記のディスプレイが基底から離れて独立に使用できるパソコンの無線人間・機械会話装置であって、前記のディスプレイの後部には、少なくとも中央処理装置（CPU）と、液晶ディスプレイ（LCD）表示出力モジュールと、メインボードに電圧変換を提供して充電電池を充電する電源回路を含むメインボードと、バックライトと、タッチパネル制御ボードと、すべての入出力装置インタフェースを含む周辺装置インタフェースボードと、充電電池とを取り付け、前記の基底には、LCD制御ボードと、商用電源を直流電源に変換してこのLCD制御ボードに電力を供給する電源アダプタとを取り付け、基底とディスプレイとを、ゴールドフィンガーや多ピン多孔のコネクタを介して電気接続することを特徴とする。
【００１１】
また、前記のディスプレイのメインボードには、メモリと、双方向無線通信モジュールと、データ受信・伸張モジュールと、音声出力モジュールと、バス拡張ポートと、本体周辺装置インタフェース回路モジュールとを更に取り付けている。前記の周辺装置インタフェースボートには、表示パネルの制御ボタンと、指示ランプ回路ボードとを更に取り付けている。
【００１２】
前記のディスプレイの厚さは、25mmを超えない。
【００１３】
前記のディスプレイのメインボードとパソコンの本体との間には、直接に無線データ通信接続チャネルを構成し、メインボード上の回路は、ディスプレイと基底との間のゴールドフィンガーや多ピン多孔のコネクタを介して、基底内のLCD制御ボード上の回路と、情報交流チャネルを構成している。
【００１４】
前記のディスプレイ後部に取り付けられた充電電池は、従来装置の３直列２並列から３直列１並列に減少する。
【００１５】
本発明の他の目的を実現するために、本発明は、ディスプレイと基底との2つの部分を備えるパソコンの液晶ディスプレイであって、前記のディスプレイ本体の後部には、バックライトと、表示パネルの制御ボタンと、指示ランプ回路ボードとを取り付け、前記の基底には、LCD制御ボードと電源ボードとを取り付け、基底とディスプレイ本体とを、ゴールドフィンガーや多ピン多孔のコネクタを介して電気接続することを特徴とする。
【００１６】
また、前記のディスプレイ本体の厚さは25mmを超えない。
【００１７】
本発明に係るパソコンの無線人間・機械会話装置は、同時に操作できる第２台のディスプレイとしてパソコンシステムに適用されてもよいし、無線・可搬のマルチメディア機能を支持する独立の情報家庭電気機器としてもよい。本発明に係る技術は、機能整備を保証する上、主にディスプレイ中のLCD制御ボードと電源ボードのレイアウトを変動し、それぞれディスプレイから移出して基底の空間に搭載されることを特徴とする。また、基底では、直接に商用電源を直流電源に変換する電源アダプタを採用してこのLCD制御回路ボードに独立に電力を供給し、充電電池を採用して電力を供給しない。このようにして、ディスプレイ部分からLCD制御ボードと電源ボードが占める体積と重量を削減すると共に、LCD制御ボードの転移のため、従来の当該LCD制御ボードに電力を供給する電池及びその電源変換回路も、交流直流変換回路を採用して直接に電力を供給した後、基底内に移され、原電源ボードの電源回路を簡素化させ、ディスプレイのメインボードに電圧変換を提供する供給電力回路だけを保留すればよい。この電圧変換回路は比較的に簡単で、電力消費も小さいので、本発明は、この電圧変換回路及び充電電池に充電する電源回路を直接にメインボードに搭載して、メインボードが少し大きくなるが、ディスプレイ後部には電源ボードを別途に設置しないので、重量と体積の方面では、顕著に改善した。
【００１８】
なお、LCD制御ボード及びそれに電力供給する電源ボードが基底に移されたので、ディスプレイと基底との両部分内部に設置されている各回路ボードの重量上の相互関係も相応的に改善する。従来製品がほぼすべての回路ボードをディスプレイ部分に集中する一方、基底内にはがらんとするいわゆる「頭でっかち」現象について大きな改善を有し、本発明に係る装置の重心を低くさせ、搭載する時、より安定になる。また、全体の電力消費が小さくなるので、ディスプレイ内の充電電池のコア数も相応に減少し、従来の３直列２並列から３直列１並列になり、重量については0.2kg程度を減少する。
【００１９】
本発明の以上の複数方面の改善は、このパソコン無線人間・機械会話装置におけるディスプレイの重量を顕著に減少させ、ユーザは、このディスプレイを移動使用する時に装置がとても重いので長い時間持たれない恐れを持たない。なお、ディスプレイ後部の回路ボードの減少のため、その回路ボード全体の面積を縮減させ、ディスプレイ全体の厚さが25mm以内に収めることができる。また、その周辺に空間を空けて、ディスプレイのリヤーカバープレートの周辺境界が傾きの大きい面取りが設置でき、このように、視覚上で見ると、その外観構造は薄型化、小型化であると共に、ユーザが手持ち移動する時、良い快適手触りも有し、長い時間に持ちやすい。また、技術が飛躍的に発展され、ユーザの要求が日進月歩である場合、LCD制御ボードと電池パネルの転移のため、この装置ディスプレイ背部の空間を大きい余裕を残し、研究開発者は絶えずこの装置制御メインボード上の回路及びその機能を開拓して、このパソコンの無線人間・機械会話装置はより大きな発展が取られることのために、活躍空間を提供することができる。
【００２０】
本発明は、LCD制御ボードと電源ボードを基底内に搭載することで、ディスプレイの後部空間を省き、機能完備を保証する上、ディスプレイの厚さが顕著に薄くなる新しい構想は、パソコンの普通の液晶ディスプレイにも適用され、構造造型もより軽くて薄い方向に発展させる。
【発明を実施するための最良の形態】
【００２１】
以下、図面を参照して、パソコンの無線人間・機械会話装置として、それを改良した回路構成及び動作原理について本発明を詳細に説明する。
【００２２】
従来技術に存在している画像の解像度劣化及び非理想のディスプレイの厚さと重量という二つの問題について、本発明は、まず回路に改良を行い、図４（A）、（B）示すように、本発明を実現する前提条件として、本発明はVGA信号の切替を低電圧差分（LVDS）信号の切替に変える。前記の切替を実現するために、無線人間・機械会話装置のディスプレイ４１が基底４２に搭載された時、すなわち誘導信号がLレベルである時、コンピュータ本体における表示ボードが生成されたビデオ画像アダプタVGA信号は、まず基底４２内に設置されたLCD制御ボードに入力され、それによりD/A変換されて、対応するLVDS信号に生成される。更に、ディスプレイ４１と基底４２との間のゴールドフィンガー（gold finger）や多ピン多孔のコネクタを介して当該LVDS信号をディスプレイ４１におけるメインボード４１０の切替回路に送信し、切替回路によりこの変換されたLVDS信号をLCD表示パネルに出力して画像を表示する。この時、本発明はコンピュータ本体の普通の液晶ディスプレイになる。
【００２３】
無線人間・機械会話装置内のメインボード上の表示チップは、同時にVGA信号のLVDSデジタル信号やVGAアナログ信号の出力を支持し、且つ両方の表示内容が同じである。したがって、ディスプレイ４１が基底から引き出された後、誘導信号がHレベルである時、メインボード４１０上の切替回路は、直接に無線人間・機械会話装置内のメインボード４１０上の表示チップが出力されたLVDS信号をLCD表示パネルに送信して画像を表示すると共に、VGA信号を９ピンD-SUB VGAインタフェースに出力して、プロジェクタや他の装置のために用いることができる。
【００２４】
本発明に係るイメージング回路は比較的に簡素であり、周波数分割、増幅などの処理回路を設置する必要がないので、特に、外部接続VGAインタフェースを使用してプロジェクタやディスプレイと接続する場合、表示する画像ははっきりで信頼でき、色は鮮やかで真に迫っている。より重要なのは、前記の表示信号を出力する回路を改良し（回路改良について、別に関する特許出願があり、ここで詳細に説明しない）、元のVGAデュアル出力制御ボードを廃棄して、LCD制御ボードを基底４２に移したので、本発明における人間・機械会話装置の液晶LCDディスプレイ４１後部の回路ボードの全体構成レイアウトを薄型・軽型の改良をするための条件と基礎を造った。
【００２５】
図５乃至図７に示すように、本発明が提案されたパソコン無線人間・機械会話装置は、ディスプレイと基底との2つの部分を備え、そのディスプレイが基底からは離れて独立に使用できる。ディスプレイの後部空間には、メインボード４１０と、バックライト４１１と、タッチパネル制御ボード４１２と、充電電池４１３と、全周辺装置を集積するインタフェース４１４とが取り付けられている。その中、メインボード４１０は、中央処理装置CPUと、メモリと、双方向無線通信モジュール、データ受信デコンプレスモジュール、液晶ディスプレイの表示出力モジュールと、音声出力モジュールと、バス拡張ポートと、本体周辺装置インタフェース回路モジュールとを更に含む。周辺装置インタフェース４１４は、表示パネルの制御ボタンパネルと、指示ランプ回路と、USBと、オーディオと、マイクとなどの各種類の入出力インタフェースを集積している。このディスプレイのメインボード４１０には、メインボードに電圧変換を提供して充電電池を充電する電源回路が増設されており、当該メインボード４１０の面積を少し増大させているが、LCD制御ボードと電源ボードの移出と、VGAデュアル出力制御ボードの省略と、電池コア数の減少と等の回路ボードと電池の減少、軽量化という技術対策に比べると、ディスプレイ後部の周辺空間は多く空けている。図５に示すグレー部分は縮小された面積である。このようにして、今後この無線人間・機械会話装置が回路及びその機能を拡張するために発展空間を予め残ると共に、このディスプレイリヤーカバープレートの周辺境界に図７に示した大きい傾きの面取りの設置、視感の改善、移動の時の好ましい快適手触り、長い時間の容易な持ちのために、条件と可能性を与えることができる。
【００２６】
図６を参照して、基底の空間は非常に大きく、LCD制御ボードと、当該LCD制御ボードに商用電源から直流電源に変換する電流を直接に供給する電源ボードとを載置されても、依然多くの空間が残る。本発明では、回路改良によって各回路ボードを新たに配置するレイアウト構造では、従来のディスプレイ内に取り付けられたLCD制御ボードと電源ボードにある背の高い大容量素子などの素子も、基底内に移し、且つ前記の回路ボードの転移と減少のため、ディスプレイ内の回路全体の電力消費も減少し、ディスプレイ後部回路ボード上に残った背の高い大容量素子等の素子は、実験テストによって、容量が相対的に小さく背が低い容量素子を採用して入れ替えたので、本発明に係るディスプレイの厚さは、２５ｍｍ以内に収めることができた。
【００２７】
図８を参照して、本発明がLCD制御ボードをディスプレイ基底に移入する構造革新は、パソコンの普通の液晶ディスプレイにも適用できる。前記の液晶ディスプレイも、ディスプレイ本体と基底との2つの部分で構成される。そのディスプレイ本体の後部空間には、バックライトと、表示パネルの制御ボタンと、指示ランプ回路ボードとが取り付けられている一方、LCD制御ボードと電源ボードとがその基底空間に取り付けられ、基底とディスプレイとの間は、ゴールドフィンガーや多ピン多孔のコネクタを介して電気接続する。このディスプレイ後部空間が多く空けられたので、ディスプレイリヤーカバープレートの周辺境界で大きい傾きの面取りを設置することができる。その厚さも25mmを超えない。図８の左面は従来のディスプレイの側面を示す模式図であり、その右面は本発明を採用したディスプレイの側面を示す模式図であり、両者を比較すると、このディスプレイが薄くなる効果は言うまでもない。
【００２８】
本発明は、既に性能サンプル機器について試験を行い、従来のディスプレイ内の電池は３直列２並列を必要とするに対して、本発明に係る回路ボード構造レイアウトを採用した後、採用される電池は３直列１並列だけで済み、重量を0.2kg軽減することができた。
【００２９】
以上、本発明の好ましい実施の形態のみであり、本発明の保護範囲を限定するためのものではない。
【図面の簡単な説明】
【００３０】
【図１】図１は、無線人間・機械会話装置のパソコンシステムの構造を示す構成模式図である。
【図２】図２は、従来の無線人間・機械会話装置とパソコンとが無線接続する時、そのすべての回路ボードはディスプレイの後部空間に集中的に取り付けられた混雑な構造を示す模式図である。
【図３】図３（A）、（B）は、それぞれ従来技術における無線人間・機械会話装置のディスプレイが、基底に挿し置いた様子と基底から引き出した様子を示す回路模式ブロック図である。
【図４】図４（A）、（B）は、それぞれ本発明に係る無線人間・機械会話装置のディスプレイが、基底に挿し置いた様子と基底から引き出した様子を示す回路模式ブロック図である。
【図５】図５は、本発明がLCD制御ボードと電源ボードを移出した後のディスプレイ後部空間における回路ボードの実装構造を示す模式図である。
【図６】図６は、本発明がLCD制御ボードと電源ボードを基底に移入した後の基底構造を示す模式図である。
【図７】図７は、本発明に係る無線人間・機械会話装置のディスプレイと基底との接続構造を示す模式図である。
【図８】図８は、本発明がパソコンの普通なディスプレイに適用されて、そのリヤーカバープレートの構造を更に小型化、薄型化とさせる比較模式図である。
【符号の説明】
【００３１】
１      コンピュータ本体
２      本体周辺装置
３      ディスプレイ
４      無線・人間機械会話装置
４１    ディスプレイ
４２    基底
４１０  メインボード
４１１  バックライト
４１２  タッチパネル制御ボード
４１３  充電電池
４１４  周辺装置インターフェース
【図１】
2006501580.tif 000003
【図２】
2006501580.tif 000004
【図３】
2006501580.tif 000005
【図４】
2006501580.tif 000006
【図５】
2006501580.tif 000007
【図６】
2006501580.tif 000008
【図７】
2006501580.tif 000009
【図８】
2006501580.tif 000010
【国際調査報告】
2006501580.tif 000011
2006501580.tif 000012
2006501580.tif 000013
2006501580.tif 000014